(57)【要約】【課題】本発明は、携帯し易く、容易に操作することができ、通常の防犯機能に加え、緊急事態を家族、警察等に無音で通報できる緊急通報装置を提供する。【解決手段】本発明に係る緊急通報装置は、手持ち可能な緊急通報装置本体２と、この緊急通報装置本体２に組み込んだ外部に向けて光を発する発光部３と、非常音を発する発音部５と、被写体を撮像する撮像部６と、無線通信網への通信機能を備えた無線通信手段２４と、予め緊急メッセージを録音記録した録音手段２１と、発光部３、発音部５及び撮像部６を右手又は左手の指による押圧操作又は指による抜き操作にて周囲に悟られることなく各々動作させるスイッチ類７と、撮像部６による被写体の撮像画像及び／又は録音手段２１に録音記録した緊急メッセージを無線通信手段２４、無線通信網を介して外部の所定の通信先に指操作、且つ、無音にて自動通信する無音操作スイッチ１４とを有するものである。【選択図】図３
2006227831.tif 000002
【特許請求の範囲】
【請求項１】
手持ち操作可能な大きさの緊急通報装置本体と、
この緊急通報装置本体に組み込んだ発光、発音及び撮像機能と、
前記緊急通報装置本体に組み込んだ前記発光、発音及び撮像機能を指操作にて各々動作させるスイッチ類と、
を有することを特徴とする緊急通報装置。
【請求項２】
手持ち操作可能な大きさの緊急通報装置本体と、
この緊急通報装置本体に組み込んだ外部に向けて光を発する発光部、非常音を発する発音部及び被写体を撮像する撮像部と、
前記緊急通報装置本体に組み込んだ前記発光部、発音部及び撮像部を右手又は左手の指による押圧操作又は指による引き抜き操作にて各々動作させるスイッチ類と、
を有することを特徴とする緊急通報装置。
【請求項３】
手持ち操作可能な大きさの緊急通報装置本体と、
この緊急通報装置本体に組み込んだ外部に向けて光を発する発光部、非常音を発する発音部及び被写体を撮像する撮像部と、
前記緊急通報装置本体に組み込んだ無線通信網への通信機能を備えた無線通信手段と、
前記緊急通報装置本体に組み込んだ予め緊急メッセージを録音記録した録音手段と、
前記緊急通報装置本体に組み込んだ前記発光部、発音部及び撮像部を右手又は左手の指による押圧操作又は指による引き抜き操作にて各々動作させるスイッチ類と、
前記緊急通報装置本体に組み込んだ前記撮像部による被写体の撮像画像及び／又は前記録音手段に録音記録した緊急メッセージを前記無線通信手段、無線通信網を介して外部の所定の通信先に指操作、且つ、無音にて自動通信する無音操作スイッチと、
を有することを特徴とする緊急通報装置。
【請求項４】
手持ち操作可能な大きさの緊急通報装置本体と、
この緊急通報装置本体に組み込んだ発光、発音及び撮像機能と、
前記緊急通報装置本体に組み込んだ前記発光、発音及び撮像機能を指操作にて各々動作させるスイッチ類と、
を有する緊急通報装置と、
この緊急通報装置を、前記スイッチ類の指操作にて前記発光、発音及び撮像機能を発揮し得る状態で内包する包装体と、
を有することを特徴とする緊急通報装置内蔵携帯具。
【請求項５】
手持ち操作可能な大きさの緊急通報装置本体と、
この緊急通報装置本体に組み込んだ外部に向けて光を発する発光部、非常音を発する発音部及び被写体を撮像する撮像部と、
前記緊急通報装置本体に組み込んだ前記発光部、発音部及び撮像部を右手又は左手の指による押圧操作又は指による引き抜き操作にて各々動作させるスイッチ類と、
を有する緊急通報装置と、
この緊急通報装置を、前記スイッチ類の右手又は左手の指による押圧操作又は指による引き抜き操作にて前記発光部、発音部及び撮像部を動作し得る状態で内包する包装体と、
を有することを特徴とする緊急通報装置内蔵携帯具。
【請求項６】
手持ち操作可能な大きさの緊急通報装置本体と、
この緊急通報装置本体に組み込んだ外部に向けて光を発する発光部、非常音を発する発音部及び被写体を撮像する撮像部と、
前記緊急通報装置本体に組み込んだ無線通信網への通信機能を備えた無線通信手段と、
前記緊急通報装置本体に組み込んだ予め緊急メッセージを録音記録した録音手段と、
前記緊急通報装置本体に組み込んだ前記発光部、発音部及び撮像部を右手又は左手の指による押圧操作又は指による引き抜き操作にて各々動作させるスイッチ類と、
前記緊急通報装置本体に組み込んだ前記撮像部による被写体の撮像画像及び／又は前記録音手段に録音記録した緊急メッセージを前記無線通信手段、無線通信網を介して外部の所定の通信先に指操作、且つ、無音にて自動通信する無音操作スイッチと、
を有する緊急通報装置と、
この緊急通報装置を、前記スイッチ類の右手又は左手の指による押圧操作又は指による引き抜き操作をもって前記発光部、発音部及び撮像部を動作し得る状態で、且つ、前記無音操作スイッチの指操作にて前記撮像部による被写体の撮像画像及び／又は前記録音手段に録音記録した緊急メッセージを前記無線通信手段、無線通信網を介して外部の所定の通信先に自動通信可能な状態で内包する包装体と、
を有することを特徴とする緊急通報装置内蔵携帯具。
【請求項７】
無線通信機能、被写体の撮像機能を予め備えた携帯電話機本体と、
この携帯電話機本体に組み込んだ発光及び発音機能と、
前記携帯電話機本体に組み込んだ前記発光及び発音機能を指操作にて各々動作させるスイッチ類と、
を有することを特徴とする緊急通報機能付き携帯電話機。
【請求項８】
無線通信機能、被写体の撮像を行う撮像部を予め備えた携帯電話機本体と、
この携帯電話機本体に組み込んだ外部に向けて光を発する発光部及び非常音を発する発音部と、
前記携帯電話機本体に組み込んだ前記発光部、発音部を右手又は左手の指による押圧操作又は指による引き抜き操作にて各々動作させるスイッチ類と、
を有することを特徴とする緊急通報機能付き携帯電話機。
【請求項９】
無線通信機能、被写体の撮像を行う撮像部を予め備えた携帯電話機本体と、
この携帯電話機本体に組み込んだ外部に向けて光を発する発光部及び非常音を発する発音部と、
前記携帯電話機本体に組み込んだ予め緊急メッセージを録音記録した録音手段と、
前記携帯電話機本体に組み込んだ前記発光部、発音部を右手又は左手の指による押圧操作又は指による引き抜き操作にて各々動作させるスイッチ類と、
前記携帯電話機本体に組み込んだ前記撮像部による被写体の撮像画像及び／又は前記録音手段に録音記録した緊急メッセージを前記無線通信手段、無線通信網を介して外部の所定の通信先に指操作、且つ、無音にて自動通信する無音操作スイッチと、
を有することを特徴とする緊急通報機能付き携帯電話機。
【請求項１０】
手持ち操作可能な大きさで被写体の撮像機能を予め備えたデジタルカメラ本体と、
このデジタルカメラ本体に組み込んだ発光及び発音機能と、
前記デジタルカメラ本体に組み込んだ前記発光、発音及び撮像機能を指操作にて各々動作させるスイッチ類と、
を有することを特徴とする緊急通報機能付きデジタルカメラ。
【請求項１１】
手持ち操作可能な大きさで被写体の撮像を行う撮像部を予め備えたデジタルカメラ本体と、
このデジタルカメラ本体に組み込んだ外部に向けて光を発する発光部及び非常音を発する発音部と、
前記デジタルカメラ本体に組み込んだ前記発光部、発音部及び撮像部を右手又は左手の指による押圧操作又は指による引き抜き操作にて各々動作させるスイッチ類と、
を有することを特徴とする緊急通報機能付きデジタルカメラ。
【請求項１２】
手持ち操作可能な大きさで被写体の撮像を行う撮像部を予め備えたデジタルカメラ本体と、
このデジタルカメラ本体に組み込んだ外部に向けて光を発する発光部及び非常音を発する発音部と、
前記デジタルカメラ本体に組み込んだ無線通信網への通信機能を備えた無線通信手段と、
前記デジタルカメラ本体に組み込んだ予め緊急メッセージを録音記録した録音手段と、
前記デジタルカメラ本体に組み込んだ前記発光部、発音部及び撮像部を右手又は左手の指による押圧操作又は指による引き抜き操作にて各々動作させるスイッチ類と、
前記デジタルカメラ本体に組み込んだ前記撮像部による被写体の撮像画像及び／又は前記録音手段に録音記録した緊急メッセージを前記無線通信手段、無線通信網を介して外部の所定の通信先に指操作、且つ、無音にて自動通信する無音操作スイッチと、
を有することを特徴とする緊急通報機能付きデジタルカメラ。
【発明の詳細な説明】
【技術分野】
【０００１】
本発明は、緊急通報装置、緊急通報装置内蔵携帯具、緊急通報機能付き携帯電話機及び緊急通報機能付きデジタルカメラに関するものである。
【背景技術】
【０００２】
従来、予期せぬ犯罪現場に遭遇した時、誘拐された時等のような緊急事態に直面した場合に、被害者が自分自身を守るための用具として、各種の防犯装置や緊急通報装置が提案され、実用化されている。
【０００３】
例えば、従来においては、釦スイッチの操作や引き抜きスイッチの操作にて大きなブザー音を発音する防犯ブザーが典型的な例である。しかし、このような防犯ブザーでは、緊急事態発生時に被害者が果たして咄嗟に所持している防犯ブザーのスイッチ操作を指先で行うことは現実には難しいと思われる。また、従来の防犯ブザーでは、被害者が加害者等に悟られることなく、家族や警察等に緊急情報を通報することは不可能である。
【０００４】
特許文献１には、携帯電話端末に、スイッチ及びそのスイッチの操作にて警報音を発する警報発音部を搭載した携帯用防犯装置が提案されている。
【０００５】
しかし、この特許文献１の携帯用防犯装置の場合、上述した防犯ブザーの場合と同様、被害者が加害者等に悟られることなく、家族や警察等に緊急情報を通報することは不可能である。
【０００６】
特許文献２には、非常時にボタン操作によって警報音の発音とともにフラッシライトによる発光機能等を発揮させるようにした防犯機能付携帯電話が提案されている。
【０００７】
しかし、この特許文献２の防犯機能付携帯電話の場合においても、被害者が加害者等に悟られることなく、家族や警察等に緊急情報を通報することは不可能である。
【特許文献１】特開２００１−１０９９７６号公報
【特許文献２】特開２００３−２１０６２号公報
【発明の開示】
【発明が解決しようとする課題】
【０００８】
個々人が携帯し易く、容易に操作することができ、通常の警報音の発音等の防犯機能は勿論のこと、緊急事態発生時において加害者等に何等悟られることなくその緊急事態を家族、警察等に通報できる緊急通報機能を備えた携帯型の装置、用具が存在しない点である。
【課題を解決するための手段】
【０００９】
本発明は、手持ち操作可能な大きさの緊急通報装置本体と、この緊急通報装置本体に組み込んだ外部に向けて光を発する発光部、非常音を発する発音部及び被写体を撮像する撮像部と、前記緊急通報装置本体に組み込んだ無線通信網への通信機能を備えた無線通信手段と、前記緊急通報装置本体に組み込んだ予め緊急メッセージを録音記録した録音手段と、前記緊急通報装置本体に組み込んだ前記発光部、発音部及び撮像部を右手又は左手の指による押圧操作又は指による抜き操作にて周囲に悟られることなく各々動作させることができるスイッチ類と、前記緊急通報装置本体に組み込んだ前記撮像部による被写体の撮像画像及び／又は前記録音手段に録音記録した緊急メッセージを前記無線通信手段、無線通信網を介して外部の所定の通信先に指操作、且つ、周囲に悟られることなく無音にて自動通信する無音操作スイッチとを有することを最も主要な特徴とする。
【発明の効果】
【００１０】
本発明によれば、以下の効果を奏する。
請求項１、２記載の発明によれば、手持ち操作可能な大きさの緊急通報装置本体に、外部に向けて光を発する発光部、非常音を発する発音部及び被写体を撮像する撮像部を組み込み、これらをスイッチ類の右手又は左手の指による押圧操作により、又は指による引き抜き操作により各々動作させるようにしたものである。従って、個々人が携帯し易く、容易に操作することができ、警報音の発音、外部に向けての発光、現場の撮像を行うことができ、優れた防犯機能を発揮させることができる。
【００１１】
請求項３記載の発明によれば、請求項１、２記載の発明の効果を奏することに加え、無音操作スイッチの右手又は左手の指による押圧操作により、前記撮像部による被写体の撮像画像及び／又は前記録音手段に録音記録した緊急メッセージを前記無線通信手段、無線通信網を介して外部の所定の通信先に加害者等に何等悟られることなく無音にて自動通信することができ、被害者の救済、加害者の特定等のために極めて有効な緊急通報装置を提供することができる。
【００１２】
請求項４、５記載の発明によれば、上述した請求項１、２記載の発明の緊急通報装置を、包装体により前記スイッチ類の右手又は左手の指による押圧操作又は指による抜き操作にて周囲に悟られることなく前記発光部、発音部及び撮像部を動作し得る状態で内包するように構成したものであるから、請求項１、２記載の発明の場合と同様な効果を奏し、携帯し易く、操作性の良好な緊急通報装置内蔵携帯具を提供することができる。
【００１３】
請求項６記載の発明によれば、上述した請求項３記載の発明の緊急通報装置を、包装体により前記スイッチ類の右手又は左手の指による押圧操作又は指による抜き操作にて周囲に悟られることなく前記発光部、発音部及び撮像部を動作し得る状態で、且つ、前記無音操作スイッチの指操作にて前記撮像部による被写体の撮像画像及び／又は前記録音手段に録音記録した緊急メッセージを前記無線通信手段、無線通信網を介して外部の所定の通信先に自動通信可能な状態で内包するように構成したものであるから、請求項３記載の発明の場合と同様な効果を奏し、携帯し易く、操作性の良好な緊急通報装置内蔵携帯具を提供することができる。
【００１４】
請求項７、８記載の発明によれば、無線通信機能、被写体の撮像を行う撮像部を予め備えた携帯電話機本体に、外部に向けて光を発する発光部及び非常音を発する発音部を組み込み、これらをスイッチ類の右手又は左手の指による押圧操作又は指による抜き操作にて周囲に悟られることなく各々動作させるようにしたものである。従って、個々人が携帯し易く、容易に操作することができ、警報音の発音、外部に向けての発光、現場の撮像を行うことができ、優れた防犯機能を発揮させることができる緊急通報機能付き携帯電話機を提供することができる。
【００１５】
請求項９記載の発明によれば、請求項７、８記載の発明の効果を奏することに加え、無音操作スイッチの右手又は左手の指による押圧操作により、前記撮像部による被写体の撮像画像及び／又は前記録音手段に録音記録した緊急メッセージを前記無線通信手段、無線通信網を介して外部の所定の通信先に加害者等に何等悟られることなく無音にて自動通信することができ、これにより、被害者の救済、加害者の特定等のために極めて有効な緊急通報機能付き携帯電話機を提供することができる。
【００１６】
請求項１０、１１記載の発明によれば、手持ち操作可能な大きさで被写体の撮像機能を予め備えたデジタルカメラ本体に、外部に向けて光を発する発光部及び非常音を発する発音部を組み込み、これらをスイッチ類の右手又は左手の指による押圧操作又は指による引き抜き操作をもって各々動作させるようにしたものである。従って、個々人が携帯し易く、容易に操作することができ、警報音の発音、外部に向けての発光、現場の撮像を行うことができ、優れた防犯機能を発揮させることができる緊急通報機能付きデジタルカメラを提供することができる。
【００１７】
請求項１２記載の発明によれば、請求項１０、１１記載の発明の効果を奏することに加え、無音操作スイッチの右手又は左手の指による押圧操作により、前記撮像部による被写体の撮像画像及び／又は前記録音手段に録音記録した緊急メッセージを前記無線通信手段、無線通信網を介して外部の所定の通信先に加害者等に何等悟られることなく無音にて自動通信することができ、被害者の救済、加害者の特定等のために極めて有効な緊急通報機能付きデジタルカメラを提供することができる。
【発明を実施するための最良の形態】
【００１８】
本発明は、個々人が携帯し易く、容易に操作することができ、通常の警報音の発音等の防犯機能は勿論のこと、緊急事態発生時において加害者等に何等悟られることなくその緊急事態を家族、警察等に通報できる緊急通報機能を備えた携帯型の装置である緊急通報機能付き携帯電話機を提供するという目的を、無線通信機能、被写体の撮像を行う撮像部を予め備えた携帯電話機本体と、この携帯電話機本体に組み込んだ外部に向けて光を発する発光部及び非常音を発する発音部と、前記携帯電話機本体に組み込んだ予め緊急メッセージを録音記録した録音手段と、前記携帯電話機本体に組み込んだ前記発光部、発音部を右手又は左手の指による押圧操作又は指による抜き操作にて周囲に悟られることなく各々動作させるスイッチ類と、前記携帯電話機本体に組み込んだ前記撮像部による被写体の撮像画像及び／又は前記録音手段に録音記録した緊急メッセージを前記無線通信手段、無線通信網を介して外部の所定の通信先に指操作、且つ、周囲に悟られることなく無音にて自動通信する無音操作スイッチとを有する構成により実現した。
【実施例】
【００１９】
以下に、本発明の実施例を詳細に説明する。
（実施例１）
図１乃至図３を参照して本発明の実施例１に係る緊急通報装置１について説明する。
【００２０】
図１、図２に示す緊急通報装置１は、手持ち操作可能な大きさの例えば略直方体状の緊急通報装置本体２と、この緊急通報装置本体２の正面２ａ及び背面２ｅの上部に組み込んだ外部に向けて光を発する複数個のＬＥＤ４を用いた発光部３と、緊急通報装置本体２の上端面２ｂに組み込んだ非常音、例えばブザー音を発する発音部５と、緊急通報装置本体２の正面２ａに組み込んだ被写体を撮像する撮像部（ＣＣＤカメラ）６と、前記発光部３、発音部５及び撮像部６を右手又は左手の指による押圧操作又は指による抜き操作にて周囲に悟られることなく各々動作させるスイッチ類７とを有している。
【００２１】
前記撮像部６は、被写体を撮像し易くするために、そのレンズ部を若干上向きにして緊急通報装置本体２の正面２ａに組み込んでいる。
【００２２】
前記スイッチ類７は、緊急通報装置本体２の右側面２ｃ、左側面２ｄに各々配置した押圧バー面スイッチ８、９と、背面２ｅに配置した２個の押圧バー面スイッチ１０、１１と、緊急通報装置本体２の左側面２ｄに配置した引き抜きピン１３の引き抜き操作にて動作する引き抜きスイッチ１２と、緊急通報装置本体２の正面２ａに配置した押圧型で周囲に悟られることのないようにした無音操作スイッチ１４とを有する合計６個構成となっている。
なお、各押圧バー面スイッチは、当該部全体をスイッチとして構成しても良く、また当該部に複数のスイッチを個々に内蔵して配置するように構成しても良い。また、上記押圧バー面スイッチ１１は、これ全体の形状を、馬蹄形とすると咄嗟の接触動作に際して好都合である。
【００２３】
前記押圧バー面スイッチ８、９は細長い長方形状に形成し、押圧バー面スイッチ１０はある程度面積を有する長方形状に形成している。前記押圧バー面スイッチ１１は、図２に示すように、略Ｕ状に形成している。前記無音操作スイッチ１４は、ある程度面積を有し、咄嗟に握った際にいずれかのスイッチに容易に触れ易いような長方形状に形成している。
【００２４】
従って、所有者が、緊急通報装置本体２を右手又は左手に持ち、前記押圧バー面スイッチ８乃至１１各々のいずれかの部分を右手又は左手の指にて押圧操作することにより、前記発光部３、発音部５及び撮像部６を各々動作させるように構成している。
【００２５】
また、所有者が、前記引き抜きスイッチ１２の引き抜きピン１３を指にて引き抜くことによっても前記発光部３、発音部５及び撮像部６を各々動作させるように構成している。
【００２６】
前記無音操作スイッチ１４は、後述するように、指で押圧操作することにより周囲に悟られることなく無音にて緊急情報を外部の所定の通信先に送信する自動通信機能を発揮するように構成している。
【００２７】
上述した押圧バー面スイッチ８乃至１１及び無音操作スイッチ１４は、誤作動を防止するために、各々軽く触れた程度では動作せず、押圧操作力をある程度強く加えた状態で動作するように構成している。
【００２８】
次に、緊急通報装置１の制御系について図３を参照して説明する。この緊急通報装置１は、全体の制御を行うＣＰＵ、メモリを含む本体制御部２０を有し、この本体制御部２０に前記押圧バー面スイッチ８乃至１１、引き抜きスイッチ１２及び無音操作スイッチ１４を各々接続している。
【００２９】
また、本体制御部２０に、前記発光部３、発音部５及び撮像部６を各々接続し、更に、例えば「盗難事故発生」等のような緊急メッセージを予め録音記録した録音手段２１と、詳細は後述する地上デジタル網等の無線通信網１２０への通信機能を備えた通信インターフェース２２及びアンテナ２３からなる無線通信手段２４を接続し、これらを前記押圧バー面スイッチ８乃至１１、引き抜きスイッチ１２及び無音操作スイッチ１４の操作にて動作させるように構成している。録音手段２１、通信インターフェース２２及びアンテナ２３は、緊急通報装置本体２に内蔵している。
【００３０】
上述した構成の緊急通報装置１によれば、個々の所有者が携帯し易く、複数の押圧バー面スイッチ８乃至１１、引き抜きスイッチ１２を各々容易に操作することができ、発音部５による警報音の発音、発光部３による外部に向けての光の発光、撮像部６による盗難等の犯罪現場の撮像等を容易に行うことができ、これにより、優れた防犯機能を発揮させることができる。
特に前記引き抜きスイッチ１２は、例えばポケット内にこの緊急通報装置１を入れたまま引き抜きピン１３を引き抜くことで発音部５を動作させ、警報音を発音することができ、防犯対策上有益である。
【００３１】
また、上述した構成の緊急通報装置１によれば、前記無音操作スイッチ１４の右手又は左手の指による押圧操作により、撮像部６による加害者等、盗難等の犯罪現場等のような被写体の撮像画像及び／又は前記録音手段２１に録音記録した緊急メッセージを前記無線通信手段２４の通信インターフェース２２及びアンテナ２３から、無線通信網１２０を介して外部の所定の通信先、例えば家族、警察等に向けて加害者等に何等悟られることなく無音にて自動通信することができ、被害者の救済、加害者の特定等のために極めて有効な緊急通報装置を提供することができる。
なお、上述のような構成の緊急通報装置を、例えば、自転車のハンドル部のグリップ部分に内蔵してこれを用いるようにしても良い。
【００３２】
（実施例２）
次に、図４、図５を参照して、本発明の実施例２に係る緊急通報装置内蔵携帯具３０について説明する。
【００３３】
この緊急通報装置内蔵携帯具３０は、上述した緊急通報装置１を、包装体３１により装着離脱可能に内包若しくは収容することにより構成している。なお、周囲には当該包装体３１が緊急通報装置１を装着していると悟られないような形態にすると好都合である。
【００３４】
包装体３１は、前記緊急通報装置１の各機能を支障なく発揮し得るように構成している。すなわち、包装体３１は、合成樹脂材料、皮革材料等を用いて前記緊急通報装置本体２を内部に収容可能な大きさで上部が開口した中空箱型状で周囲に緊急通報装置と悟られないような形態に形成すると好都合である。
【００３５】
前記包装体３１の正面３１ａには前記緊急通報装置本体２の撮像部６、無音操作スイッチ１４が露出可能な円形穴３２、角形穴３３を形成し、包装体３１の右側面３１ｃには前記押圧バー面スイッチ８が露出可能な細長い角形穴３４を形成し、包装体３１の左側面３１ｄには前記押圧バー面スイッチ９及び引き抜きスイッチ１２が露出可能な細長い角形穴３５及び角形穴３６を形成し、前記包装体３１の背面３１ｅには前記押圧バー面スイッチ１０が露出可能な角形穴３７及び前記押圧バー面スイッチ１１が露出可能な略Ｕ状を呈するＵ状穴３８を形成している。
なお、各押圧バー面スイッチは、当該部全体をスイッチとして構成しても良く、また当該部に複数のスイッチを個々に内蔵して配置するように構成しても良い。また、上記押圧バー面スイッチ３８は、これ全体の形状を、馬蹄形とすると咄嗟の接触動作に際して好都合である。
【００３６】
また、包装体３１の右側面３１ｃには、所有者の手持ちの便宜を図るためのストラップ３９を取り付けている。なお、この緊急通報装置内蔵携帯具３０において、包装体３１の開口側に図示しない蓋片を開閉可能に付加し、緊急通報装置本体２を包装体３１内に収容し、且つ、その上部の発光部３の部分を必要に応じて覆うように構成してもよい。
【００３７】
上述した構成によれば、前記緊急通報装置１の既述した諸機能を何等損なうことなく操作性よく発揮させることができ、しかも、携帯し易い緊急通報装置内蔵携帯具３０とすることができる。
【００３８】
図６は、変形例の包装体３１Ａを示すものであり、この包装体３１Ａは、基本的構成は前記包装体３１と同様であるが、その外観形状を漫画又はアニメ等のキャラクタ形状としたことが特徴である。
【００３９】
このような包装体３１Ａを使用して上述した場合と同様な緊急通報装置内蔵携帯具３０を構成しても、前記緊急通報装置１の既述した諸機能を何等損なうことなく操作性よく発揮させることができ、しかも、携帯し易い緊急通報装置内蔵携帯具３０とすることができる。
【００４０】
この他、包装体としては、透明、半透明又は有色透明等の合成樹脂材料を用いた柔軟な袋状とする構成を挙げることができる。
なお、上述のような構成の緊急通報装置内蔵携帯具を、例えば、自転車のハンドル部に装着してこれを用いるようにしても良い。
【００４１】
（実施例３）
次に、図７、図８、図９を参照して、本発明の実施例３に係る緊急通報機能付き携帯電話機（以下「携帯電話機」という）４０について説明する。
【００４２】
図７、図８に示す携帯電話機４０は、本体部４１ａ及び開閉可能な蓋体部４１ｂを具備する携帯電話機本体４１を備え、周知のように携帯電話網１００を利用した無線通信機能を有し、被写体の撮像を行う撮像部６を例えば蓋体部４１ｂの裏面側に予め組み込んでいる。
また、本体部４１ａの表面には各種の操作を行うためのキー群４２を、蓋体部４１ｂの前記キー群４２と対向する面（表面）に電話番号、画像等を表示する表示部４３を設けている。また、蓋体部４１ｂの一方の隅部には無線通信機能を実行するためのアンテナ４４を配置している。
【００４３】
蓋体部４１ｂの裏面側には、撮像部６よりも上部側に外部に向けて光を発する既述した場合と同様な発光部３を組み込み、また、撮像部６よりも下部側に既述した場合と同様な無音操作スイッチ１４及び引き抜きスイッチ１２を組み込んでいる。
【００４４】
本体部４１ａの裏面側には、既述した場合と同様な発音部５及び略Ｕ状の押圧バー面スイッチ１１を組み込んでいる。更に、前記蓋体部４１ｂの図７において右側面には、図８に示すように既述した場合と同様な押圧バー面スイッチ８を、また、前記蓋体部４１ｂの図７において左側面には、図８に示すように既述した場合と同様な押圧バー面スイッチ９を各々組み込んでいる。
【００４５】
次に、携帯電話機４０の制御系について図９を参照して説明する。
この携帯電話機４０は、全体の制御を行うＣＰＵ、メモリを含む電話機制御部５０を有し、前記撮像部６、表示部４３、キー群４２の動作制御を行うようになっている。また、通信インターフェース４５及びアンテナ４４により携帯電話網１００との無線通信を行うようになっている。
【００４６】
更に、電話機制御部５０に、発光部３、発音部５、前記押圧バー面スイッチ８、９、１１、引き抜きスイッチ１２、無音操作スイッチ１４を各々接続するとともに、電話機制御部５０に、緊急メッセージを予め録音記録した既述した場合と同様な録音手段２１を接続しその動作制御を行うようになっている。
【００４７】
本実施例３に係る携帯電話機４０によれば、個々の所有者が携帯し易く、押圧バー面スイッチ８、９、１１、引き抜きスイッチ１２を右手又は左手の指で各々容易に操作することができ、発音部５による警報音の発音、発光部３による外部に向けての光の発光、撮像部６による盗難等の犯罪現場の撮像等を容易に行うことができ、これにより、優れた防犯機能を発揮させることができる。
特に前記引き抜きスイッチ１２は、例えばポケット内にこの携帯電話４０を入れたまま引き抜きピン１３を引き抜くことで発音部５を動作させ、警報音を発音することができ、防犯対策上有益である。
【００４８】
また、上述した構成の携帯電話機４０によれば、前記無音操作スイッチ１４の右手又は左手の指による押圧操作により、撮像部６による加害者等、盗難等の犯罪現場等のような被写体の撮像画像及び／又は前記録音手段２１に録音記録した緊急メッセージを通信インターフェース４５、アンテナ４４から、携帯電話網１００を介して外部の所定の通信先、例えば家族、警察等に向けて加害者等に何等悟られることなく無音にて自動通信することができ、被害者の救済、加害者の特定等のために極めて有効な携帯電話機４０を実現することができる。
【００４９】
（実施例４）
次に、図１０、図１１、図１３を参照して、本発明の実施例４に係る緊急通報機能付きデジタルカメラ（以下「デジタルカメラ」という）６０について説明する。
【００５０】
このデジタルカメラ６０は、被写体の撮像を行う撮像部６、撮像時の被写体画像、撮像後の記録画像等を表示する液晶ディスプレイ等から形成した表示部６２、被写体の撮像、画像記録等の各種動作を実行させるためのキー群６３、接眼部６４、手持ち保持用のストラップ６５等を予め備えた手持ち操作可能な大きさのデジタルカメラ本体６１を具備している。このデジタルカメラ本体６１としては、ハードディスク搭載型又はＤＶＤ（ディジタル・ビデオ・デスク）搭載型等、種々の形態のものを用いることができる。
【００５１】
前記デジタルカメラ本体６１の上面には、押圧バー面スイッチ７１、既述した場合と同様な発音部５を設けている。また、デジタルカメラ本体６１の左側面には、押圧バー面スイッチ７２、既述した場合と同様な引き抜きスイッチ１２、既述した場合と同様な発光部３を設けている。更に、前記デジタルカメラ本体６１の接眼部６４側の端部には、既述した場合と同様な無音操作スイッチ１４を設けている。
なお、各押圧バー面スイッチは、当該部全体をスイッチとして構成しても良く、また当該部に複数のスイッチを個々に内蔵して配置するように構成しても良い。
【００５２】
次に、デジタルカメラ６０の制御系について図１２を参照して説明する。
このデジタルカメラ６０は、全体の制御を行うＣＰＵ、メモリを含むカメラ制御部７０を有し、前記撮像部６、表示部６２、キー群６３の動作制御を行うようになっている。
【００５３】
前記カメラ制御部７０に、発光部３、発音部５、前記押圧バー面スイッチ７１、７２、引き抜きスイッチ１２、無音操作スイッチ１４を各々接続するとともに、カメラ制御部７０に、緊急メッセージを予め録音記録した既述した場合と同様な録音手段２１を接続しその動作制御を行うようになっている。
【００５４】
また、カメラ制御部７０に接続した通信インターフェース７３及びデジタルカメラ本体６１に取り付けたアンテナ７４により無線通信網１２０との無線通信を行うようになっている。
【００５５】
上述した本実施例４に係るデジタルカメラ６０によれば、既述したした場合と同様、個々の所有者がこのデジタルカメラ６０を携帯し易く、また前記押圧バー面スイッチ７１、７２、引き抜きスイッチ１２を各々容易に操作することができ、発音部５による警報音の発音、発光部３による外部に向けての光の発光、撮像部６による盗難等の犯罪現場の撮像等を容易に行うことができ、これにより、優れた防犯機能を発揮させることができる。
【００５６】
また、上述した構成のデジタルカメラ６０によれば、前記無音操作スイッチ１４の右手又は左手の指による押圧操作により、撮像部６による加害者等、盗難等の犯罪現場等のような被写体の撮像画像及び／又は前記録音手段２１に録音記録した緊急メッセージを前記通信インターフェース７３及びアンテナ７４から、無線通信網１２０を介して外部の所定の通信先、例えば家族、警察等に向けて加害者等に何等悟られることなく無音にて自動通信することができ、デジタルカメラ６０の所有者が被害者となった場合の救済、加害者の特定等のために極めて有効である。
【００５７】
図１３は、本発明の各実施例において使用する携帯電話網１００の構成例を示すものである。
この携帯電話網１００は、前記携帯電話機４０からの電波を、その地域に設けた携帯電話用のアンテナ１０１により受信し、基地局１０２、電話回線１０３を経て電話局１０４に送り、更に電話局１０４から電話回線１０５を経て通信先の携帯電話機１１０（例えば前記携帯電話機４０の所有者の家族等が所有するもの）が所在する地域の携帯電話用のアンテナ１０６に送信し、このアンテナ１０６から無線にて通信先の携帯電話機１１０に対して前記携帯電話機４０からの緊急情報を送信するものである。
【００５８】
図１４は、地上デジタル方式の無線通信網１２０の構成例を示すもので、例えば前記緊急通報装置１又は前記デジタルカメラ６０からの電波を、その地域に設けたアンテナ塔１２１により受信し、更にアンテナ塔１２１からの電波を地上デジタル局１２２のアンテナ１２３にて受信し、このアンテナ１２３からの電波を通信先（例えば前記緊急通報装置１等の所有者の自宅）の地域に設けたアンテナ塔１２５に送信し、又は、アンテナ１２３からの電波を人口衛星１２４を介して前記アンテナ塔１２５に送信し、更にこのアンテナ塔１２５から当該通信先のアンタナ１２７を経てテレビ１２６に送信し、その画面に前記携帯電話機４０からの緊急情報を画面表示するものである。
【００５９】
本発明の各実施例１乃至４における前記緊急通報装置１、緊急通報装置内蔵携帯具３０、携帯電話機４０又は前記デジタルカメラ６０において、無線通信を行う場合に、前記携帯電話網１００、地上デジタル方式の無線通信網１２０のいずれを利用するかは、これら携帯用の各端末のハードウェア構成により決定されるものである。
【００６０】
なお、本発明は、上述した場合の他、地震、津波、洪水、山崩れ等の自然災害による家族離散、孤立の場合や、道に迷っ行き先不明の場合、山中で熊等に遭遇し身に危険を感じた場合等、種々の場合の緊急連絡用にも適用可能である。
【産業上の利用可能性】
【００６１】
本発明は、上述した場合の他、各種の携帯端末、例えば、ＰＨＳ電話機、無線通信機能を備えた各種のＰＤＡ機器、超小形のパソコン等に関しても幅広く適用可能である。
【図面の簡単な説明】
【００６２】
【図１】本発明の実施例１に係る緊急通報装置の正面、左右の側面及び平面を示す図である。
【図２】本発明の実施例１に係る緊急通報装置の背面を示す図である。
【図３】本発明の実施例１に係る緊急通報装置の制御系を示すブロック図である。
【図４】本発明の実施例２に係る緊急通報装置内蔵携帯具の緊急通報装置、包装体の分離状態を示す斜視図である。
【図５】本発明の実施例２に係る緊急通報装置内蔵携帯具の包装体の展開状態を示す図である。
【図６】本発明の実施例２に係る包装体の変形例を示す図である。
【図７】本発明の実施例３に係る携帯電話機の開いた状態の正面及び背面を示す図である。
【図８】本発明の実施例３に係る携帯電話機の開いた状態の右側面及び左側面を示す図である。
【図９】本発明の実施例３に係る携帯電話機の制御系を示すブロック図である。
【図１０】本発明の実施例４に係るデジタルカメラの撮像部側から見た斜視図である。
【図１１】本発明の実施例４に係るデジタルカメラの接眼部側から見た斜視図である。
【図１２】本発明の実施例４に係るデジタルカメラの制御系を示すブロック図である。
【図１３】本発明の主に実施例３にて使用する携帯電話網の構成例を示すブロック図である。
【図１４】本発明の主に実施例１、２、４にて使用する地上デジタル方式の無線通信網の構成例を示すブロック図である。
【符号の説明】
【００６３】
１    緊急通報装置
２    緊急通報装置本体
２ａ  正面
２ｂ  上端面
２ｃ  右側面
２ｄ  左側面
２ｅ  背面
３    発光部
４    ＬＥＤ
５    発音部
６    撮像部
７    スイッチ類
８    押圧バー面スイッチ
９    押圧バー面スイッチ
１０    押圧バー面スイッチ
１１    押圧バー面スイッチ
１２    抜き取りスイッチ
１３    抜き取りピン
１４    無音操作スイッチ
２０    本体制御部
２１    録音手段
２２    通信インターフェース
２３    アンテナ
２４    無線通信手段
３０    緊急通報装置内蔵携帯具
３１    包装体
３１Ａ  包装体
３１ａ  正面
３１ｃ  右側面
３１ｄ  左側面
３２    円形穴
３３    角形穴
３４    角形穴
３５    角形穴
３６    角形穴
３７    角形穴
３８    Ｕ状穴
３９    ストラップ
４０    携帯電話機
４１    携帯電話機本体
４１ａ  本体部
４１ｂ  蓋体部
４２    キー群
４３    表示部
４４    アンテナ
４５    通信インターフェース
５０    電話機制御部
６０    デジタルカメラ
６１    デジタルカメラ本体
６２    表示部
６３    キー群
６４    接眼部
６５    ストラップ
７０    カメラ制御部
７１    押圧バー面スイッチ
７２    押圧バー面スイッチ
７３    通信インターフェース
７４    アンテナ
１００    携帯電話網
１０１    アンテナ
１０２    基地局
１０３    電話回線
１０４    電話局
１０５    電話回線
１０６    アンテナ
１１０    携帯電話機
１２０    無線通信網
１２１    アンテナ塔
１２２    地上デジタル局
１２３    アンテナ
１２４    人口衛星
１２５    アンテナ塔
１２６    テレビ
１２７    アンテナ
【図１】
2006227831.tif 000003
【図２】
2006227831.tif 000004
【図３】
2006227831.tif 000005
【図４】
2006227831.tif 000006
【図５】
2006227831.tif 000007
【図６】
2006227831.tif 000008
【図７】
2006227831.tif 000009
【図８】
2006227831.tif 000010
【図９】
2006227831.tif 000011
【図１０】
2006227831.tif 000012
【図１１】
2006227831.tif 000013
【図１２】
2006227831.tif 000014
【図１３】
2006227831.tif 000015
【図１４】
2006227831.tif 000016